(57)【要約】【課題】装置構成を簡略化しつつ、設置環境に制約されずに表示画像を監視することができる表示装置及び表示装置の制御方法を提供すること。【解決手段】本発明の一態様は、表示画面を備え、表示画面に第１画像を表示する表示部（１２）と、第１画像が表示された表示画面の温度分布を検出する温度検出部（１４）と、第１画像の階調を低下させた第２画像を生成する画像処理部（１６）と、温度分布と第２画像との相関関係に基づいて、第１画像が表示画面に表示されたか否かを判定する比較部（１８）と、比較部により判定された判定結果を記憶する記憶部（２０）と、を備える、表示装置である。【選択図】図１
2019109443.tif 000002
【特許請求の範囲】
【請求項１】
表示画面を備え、前記表示画面に第１画像を表示する表示部と、
前記第１画像が表示された前記表示画面の温度分布を検出する温度検出部と、
前記第１画像の階調を低下させた第２画像を生成する画像処理部と、
前記温度分布と前記第２画像との相関関係に基づいて、前記第１画像が前記表示画面に表示されたか否かを判定する比較部と、
前記比較部により判定された判定結果を記憶する記憶部と、
を備える、
表示装置。
【請求項２】
前記比較部は、前記温度検出部により検出された前記温度分布と前記第２画像の明度分布とを比較して、前記温度分布と前記第２画像との相関関係を演算する、
請求項１に記載の表示装置。
【請求項３】
前記温度検出部は、前記表示画面の温度分布を検出するためのマトリクス状に配置された複数の温度センサを備える、
請求項１または２に記載の表示装置。
【請求項４】
前記表示画面は、マトリクス状に配置された無数の自発光素子の発光により前記第１画像を表示する、
請求項１から３のうちいずれか１項に記載の表示装置。
【請求項５】
コンピュータが、
表示画面に第１画像を表示し、
前記第１画像が表示された前記表示画面の温度分布を検出し、
前記第１画像の階調を低下させた第２画像を生成し、
前記温度分布と前記第２画像との相関関係に基づいて、前記第１画像が前記表示画面に表示されたか否かを判定し、
判定した判定結果を記憶部に記憶する、
表示装置の制御方法。
【発明の詳細な説明】
【技術分野】
【０００１】
本発明は、例えば平面ディスプレイやプロジェクタに映像や情報を表示するデジタルサイネージ（電子看板）における表示状況を監視する表示装置及び表示装置の制御方法に関する。
【背景技術】
【０００２】
液晶ディスプレイやプロジェクタなどのディスプレイを用いて広告を表示する広告媒体であるデジタルサイネージ（Digital Signage：電子看板）が、様々な場所に設置されている。広告主にとって、広告の画像が実際にディスプレイに表示されたかどうか判断することが重要である。これに関連して、表示装置に表示される映像が表示装置に現実に表示されたか否かを判断するモニタリング方法が知られている（例えば、特許文献１参照）。このモニタリング方法によれば、表示装置に表示された映像が映り込んだ反射物体を撮像し、撮像された映像の特徴量と、映像の特徴量とを比較し、実際に広告の映像が表示されているか否かを判定している。
【先行技術文献】
【特許文献】
【０００３】
【特許文献１】特開２０１１−１３５４７７号公報
【発明の概要】
【発明が解決しようとする課題】
【０００４】
しかしながら、特許文献１に係る技術は、表示装置とは別にカメラで表示画像を撮像して表示画像をモニタリングするものであり、設置コストが増大したり、設置環境に制約を受けたりする可能性がある。
【０００５】
本発明は、このような事情を考慮してなされたものであり、装置構成を簡略化しつつ、設置環境に制約されずに表示画像を監視することができる表示装置及び表示装置の制御方法を提供することを目的とする。
【課題を解決するための手段】
【０００６】
本発明の一態様は、表示画面を備え、前記表示画面に第１画像を表示する表示部と、前記第１画像が表示された前記表示画面の温度分布を検出する温度検出部と、前記第１画像の階調を低下させた第２画像を生成する画像処理部と、前記温度分布と前記第２画像との相関関係に基づいて、前記第１画像が前記表示画面に表示されたか否かを判定する比較部と、前記比較部により判定された判定結果を記憶する記憶部と、を備える、表示装置である。
【０００７】
本発明の一態様は、コンピュータが、表示画面に第１画像を表示し、前記第１画像が表示された前記表示画面の温度分布を検出し、前記第１画像の階調を低下させた第２画像を生成し、前記温度分布と前記第２画像との相関関係に基づいて、前記第１画像が前記表示画面に表示されたか否かを判定し、判定した判定結果を記憶部に記憶する、表示装置の制御方法である。
【発明の効果】
【０００８】
本発明にかかる表示装置及び表示装置の制御方法によると、装置構成を簡略化しつつ、設置環境に制約されずに表示画像を監視することができる。
【図面の簡単な説明】
【０００９】
【図１】本発明に係る表示装置の構成の一例を示す模式図である。
【図２】表示装置が適用される表示システムの構成の一例を示す図である。
【図３】画像処理部により第１画像から生成される第２画像の一例を示す図である。
【図４】表示部の構成の一例を示す断面図である。
【図５】背面板に設けられた複数の温度センサの一例を示す図である。
【図６】温度検出部を用いて認識される表示部の温度分布の一例を示す図である。
【図７】比較部により、領域ごとに分割された第２画像の一例を示す図である。
【図８】比較部により、領域Ｓごとに分割された温度分布の一例を示す図である。
【図９】表示装置１０において実行される処理の流れの一例を示すフローチャートである。
【発明を実施するための形態】
【００１０】
以下、図面を参照しつつ、本発明の実施形態の表示装置及び表示装置の制御方法について説明する。
【００１１】
図１は、本発明に係る表示装置１０の構成の一例を示すブロック図である。図１に示されるように、表示装置１０は、例えば、表示部１２と、温度検出部１４と、画像処理部１６と、比較部１８と、記憶部２０と、制御部１９と、送受信部２６とを備える。表示部１２は、表示画面を備え、表示画面に第１画像を表示する。温度検出部１４は、第１画像が表示された表示画面の温度分布を検出する。画像処理部１６は、第１画像の階調を低下させた第２画像を生成する。比較部１８は、温度分布と第２画像との相関関係に基づいて、第１画像が表示画面に表示されたか否かを判定する。記憶部２０は、比較部１８により判定された判定結果を記憶する。
【００１２】
図２は、本発明に係る表示装置１０が適用される表示システム１の構成の一例を示す図である。表示システム１は、顧客や広告業者が依頼した広告を屋外等に設置された表示装置１０に表示するシステムである。表示装置１０は、ネットワークＮＷを介してサーバ５０と通信し、サーバ５０から送信された広告用の第１画像を表示する。表示装置１０は、例えば、広告効果が見込まれる拠点に設置されている。サーバ５０は、ネットワークＮＷを介して顧客や広告業者が作成した第１画像を送信する。サーバ５０は、表示装置１０の拠点から遠隔地に設置されていてもよい。
【００１３】
画像処理部１６と、比較部１８と、制御部１９とは、それぞれ、ＣＰＵ（Central Processing Unit）等のプロセッサがプログラム（ソフトウェア）を実行することで実現される。これらの各機能部のうち一部または全部は、ＬＳＩ（Large Scale Integration）やＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。プログラムは、予めＨＤＤ（Hard Disk Drive）やフラッシュメモリなどの記憶装置に格納されていてもよいし、ＤＶＤやＣＤ−ＲＯＭなどの着脱可能な記憶媒体に格納されており、記憶媒体がドライブ装置に装着されることで記憶部２０にインストールされてもよい。
【００１４】
表示部１２は、例えば、屋外や屋内に設置される広告用のディスプレイ装置（デジタルサイネージ）である。表示部１２には、広告用に作成された第１画像が表示される。第１画像は、例えば、静止画であるが、所定のタイミングで切り替わる。第１画像は、動画であってもよい。
【００１５】
温度検出部１４は、表示部１２の面的な温度分布を検出する。表示部１２及び温度検出部１４の詳細な構成については後述する。
【００１６】
図３は、画像処理部１６により第１画像Ｐ１から生成される第２画像Ｐ２の一例を示す図である。画像処理部１６は、表示部１２に表示される第１画像Ｐ１に基づいて第２画像Ｐ２を生成する。図３に示されるように、第２画像Ｐ２は、例えば、第１画像Ｐ１の明度分布を分離して生成した画像である。第２画像Ｐ２は、例えば、第１画像Ｐ１の階調を低下させてグレースケール等で生成する。第２画像Ｐ２は、例えば、第１画像Ｐ１を白黒の濃淡により表現された画像として生成される。このとき、画像処理部１６は、第２画像Ｐ２の階調を白、黒の２階調で生成してもよいし、白、黒、灰の３階調等で生成してもよい。
【００１７】
比較部１８は、温度検出部１４により検出された表示部１２の温度分布と画像処理部１６により生成された第２画像Ｐ２の明度分布とを比較し、温度分布と第２画像との相関を演算する。比較部１８は、演算結果に基づいて、表示部１２の温度分布と第２画像Ｐ２の明度分布との間に相関があるか否かを判定する。比較部１８は、判定結果を記憶部２０に記憶する。比較部１８において実行される処理の内容については後述する。
【００１８】
記憶部２０は、サーバ５０から送信された第１画像の画像データや比較部１８の判定結果を記憶する。記憶部２０は、ＨＤＤやフラッシュメモリ、ＲＡＭ（Random Access Memory）、ＲＯＭ（Read Only Memory）等の記憶装置である。
【００１９】
制御部１９は、送受信部２６を介してネットワークＮＷに接続し、サーバ５０との通信を行う。制御部１９は、送受信部２６を介して、サーバ５０から第１画像の画像データを受信し、記憶部２０に記憶させる。
【００２０】
次に表示部１２の構成について説明する。図４は、表示部１２の構成の一例を示す断面図である。図４に示されるように、表示部１２は、表示画面１２Ａと、背面板１２Ｂと、発光素子Ｌとを備える。表示部１２は、有機ＥＬ（Organic Electro-Luminescence: OEL）ディスプレイ等の自発光表示デバイスである。自発光とは、各発光素子の発光により画像を生成するものである。
【００２１】
表示画面１２Ａと、背面板１２Ｂとの間には、無数の発光素子Ｌがマトリクス状に配列されている。それぞれの発光素子Ｌは、ディスプレイの画素を構成する自発光素子である。発光素子Ｌは、例えば、有機材料を発光層として用いたエレクトロルミネセンス素子である。従って、有機ＥＬディスプレイでは、それぞれの発光素子Ｌがそれぞれ単体で独立して自発光することで、画像が表示される。
【００２２】
有機ＥＬディスプレイには、例えば、単純マトリクス型表示パネルとアクティブマトリクス型表示パネルとの種類がある。単純マトリクス型表示パネルでは、発光素子を駆動する駆動電流又は駆動電圧により、発光素子の発光輝度が制御される。
【００２３】
アクティブマトリクス型表示では、駆動素子のスイッチングによって発光のオン／オフを制御する。アクティブマトリクス型表示では、例えば、輝度階調の重み付けは振幅変調又は時間変調（いわゆる、サブフィールド法）によって制御される。振幅変調は、発光時間を一定としつつ、駆動電流（又は駆動電圧）を制御し、ＥＬ素子の瞬時輝度を調整する方法である。
【００２４】
表示部１２の背面には、背面板１２Ｂが設けられている。背面板１２Ｂの裏面１３には、温度検出部１４が設けられている。背面板１２Ｂの裏面１３は、発光素子Ｌが設けられている面と反対の面である。
【００２５】
図５は、背面板１２Ｂに設けられた複数の温度センサ１４Ａの一例を示す図である。温度検出部１４は、画像が表示された表示部１２の面的な温度分布を検出する。温度検出部１４は、温度を検出するための複数の温度センサ１４Ａを備える。複数の温度センサ１４Ａは、背面板１２Ｂの裏面１３にマトリクス状に配置されている。温度センサ１４Ａのそれぞれは、背面板１２Ｂが所定範囲の単位に分割された領域ごとに設けられている。即ち、１つの温度センサ１４Ａは、複数の発光素子Ｌにより生じた熱を検出し温度データを出力する。このような構成により、温度検出部１４は、複数の温度センサ１４Ａの検出値によって、発光素子Ｌの発光によって変化した背面板１２Ｂの面的な温度分布を認識することができる。
【００２６】
図６は、温度検出部１４を用いて認識される表示部１２の温度分布Ｈの一例を示す図である。背面板１２Ｂの温度分布は、表示画面１２Ａの温度分布とほぼ一致しているとみなせるので、温度検出部１４は、画像が表示された状態における表示画面１２Ａの面的な温度データを認識することができる。図６の例では、表示画面１２Ａの面的な温度分布Ｈが階調を低下した画像のイメージとして生成されている。温度検出部１４は、認識した表示画面１２Ａの面的な温度データを比較部１８に出力する。
【００２７】
次に、比較部１８において実行される処理について説明する。比較部１８は、画像処理部１６により出力された第２画像Ｐ２に基づいて、第２画像Ｐ２を離散データ化する。図７は、比較部１８により、領域Ｒごとに分割された第２画像Ｐ２の一例を示す図である。比較部１８は、例えば、第２画像Ｐ２を所定の面積を単位とする複数の領域Ｒに分割し、領域Ｒ毎のヒストグラムを生成する。比較部１８は、例えば、各領域Ｒにおける白、黒の２階調のヒストグラムを生成してもよいし白、黒、灰の３階調等のヒストグラムを生成してもよい。
【００２８】
比較部１８は、例えば、取得した温度を表示画面１２Ａの面的な温度分布を離散データ化する。比較部１８は、例えば、取得した温度データを予め設定された閾値と比較する。閾値は、例えば、温度データを高、低の２値や、高、中、低の３値等に分類するように定められる。比較部１８は、取得した温度データを高、低の２値や、高、中、低の３値等の離散データに変換し、変換されたデータに基づいて、表示画面１２Ａの面的な温度分布Ｈを生成する。
【００２９】
比較部１８は、表示画面１２Ａを所定の面積を単位とする複数の領域Ｓに分割し、領域Ｓ毎の温度のヒストグラムを生成する。図８は、比較部１８により、領域Ｓごとに分割された温度分布Ｈの一例を示す図である。
【００３０】
次に、比較部１８は、温度検出部１４により検出された温度分布Ｈと第２画像Ｐ２の明度分布とを比較して、温度分布Ｈと第２画像Ｐ２との相関関係を演算する。比較部１８は、例えば、領域Ｒにおいて生成された離散データと、領域Ｒに対応する温度分布Ｈの領域Ｓにおいて生成された離散データとを比較し、表示画面１２Ａの全ての領域について相関関係を評価する。比較部１８は、例えば、第２画像Ｐ２と温度分布Ｈとの間の相関係数を算出し、第２画像Ｐ２と温度分布Ｈとの相関関係を評価する。比較部１８は、例えば、第２画像Ｐ２の離散データと温度分布Ｈの離散データとの間に相関関係があると判定した場合、第１画像Ｐ１が表示画面１２Ａに正常に表示されたと判定する。
【００３１】
比較部１８は、例えば、第２画像Ｐ２の離散データと温度分布Ｈの離散データとの間に相関関係が無いと判定した場合、第１画像Ｐ１が表示画面１２Ａに正常に表示されていないと判定する。比較部１８は、判定結果を時刻と共に記憶部２０に記憶する。制御部１９は、送受信部２６を介してネットワークＮＷに接続し、所定のタイミングで判定結果を遠隔地の広告主等に送信する。制御部１９は、リアルタイムで判定結果を遠隔地の広告主等に送信してもよい。
【００３２】
次に、表示装置１０において実行される処理について説明する。図９は、表示装置１０において実行される処理の流れの一例を示すフローチャートである。
【００３３】
画像処理部１６は、ネットワークＮＷを介して取得した第１画像Ｐ１を表示する（ステップＳ１００）。画像処理部１６は、第１画像Ｐ１に基づいて、第２画像Ｐ２を生成する（ステップＳ１０２）。温度検出部１４は、表示画面１２Ａ第１画像Ｐ１が表示された状態において、表示画面１２Ａの面的な温度分布Ｈを検出する（ステップＳ１０４）。比較部１８は、温度分布Ｈと第２画像Ｐ２との相関関係を演算する（ステップＳ１０６）。
【００３４】
比較部１８は、演算した相関関係に基づいて、第１画像Ｐ１が表示画面１２Ａに表示されたか否かを判定する（ステップＳ１０８）。比較部１８は、判定結果を記憶部２０に記憶する（ステップＳ１１０）。制御部１９は、判定結果を送受信部２６を介して広告主に送信する（ステップＳ１１２）。
【００３５】
上述した実施形態によれば、表示装置１０は、温度検出部１４が表示画面１２Ａの面的な温度分布を検出することで、装置構成を簡略化しつつ、設置環境に制約されずに表示画像が表示されたか否かを監視することができる。
【００３６】
以上、この発明の実施形態を、図面を参照して詳述してきたが、具体的な構成はこの実施形態に限られるものではなく、この発明の要旨を逸脱しない範囲の設計等も含まれる。また、上記実施形態が有する１または複数のＣＰＵ等のコンピュータが実行するプログラムの一部または全部は、通信回線やコンピュータ読取可能な記録媒体を介して頒布することができる。
【符号の説明】
【００３７】
１…表示システム
１０…表示装置
１２…表示部
１２Ａ…表示画面
１２Ｂ…背面板
１３…裏面
１４…温度検出部
１４Ａ…温度センサ
１６…画像処理部
１８…比較部
１９…制御部
２０…記憶部
２６…送受信部
５０…サーバ
Ｈ…温度分布
Ｌ…発光素子
ＮＷ…ネットワーク
Ｐ１…第１画像
Ｐ２…第２画像
Ｒ…領域
Ｓ…領域
【図１】
2019109443.tif 000003
【図２】
2019109443.tif 000004
【図３】
2019109443.tif 000005
【図４】
2019109443.tif 000006
【図５】
2019109443.tif 000007
【図６】
2019109443.tif 000008
【図７】
2019109443.tif 000009
【図８】
2019109443.tif 000010
【図９】
2019109443.tif 000011